(57)【要約】【課題】ボールにトップスピンがかかり易く、かつこのトップスピンのかけ易さの温度依存性が小さいパターヘッドを提供する。【解決手段】ヘッド本体２の前面（フェース面）に凹部２Ｈが設けられ、この凹部２Ｈ内にフェースインサート３が配置されている。このフェースインサート３の後面の下端部から上方に向って切欠状部３ａが設けられている。切欠状部３ａは、フェースインサート３の左端から右端まで延在している。フェースインサート３の後面の上縁部３ｂを凹部２Ｈの奥壁面に当接させる。ボルト６をボルト挿通孔５を通して雌螺子穴３ｃにねじ込むことによりフェースインサート３がヘッド本体２に固定される。切欠状部３ａに粘弾性材７を設けてもよい。【選択図】図２
2012080960.tif 000002
【特許請求の範囲】
【請求項１】
ヘッド本体のフェース面にフェースインサートを装着したパターヘッドにおいて、
該フェースインサートの後面に、下端部から上方に延在した切欠状部が設けられていることを特徴とするパターヘッド。
【請求項２】
請求項１において、前記切欠状部はフェースインサートの左端から右端まで延在していることを特徴とするパターヘッド。
【請求項３】
請求項１又は２において、前記フェースインサートの後面の上縁部は前記凹部の奥壁面に当接し、該上縁部が螺子部材によってヘッド本体に固定されていることを特徴とするパターヘッド。
【請求項４】
請求項１ないし３のいずれか１項において、該切欠状部に粘弾性材が充填されていることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。
【背景技術】
【０００２】
ゴルフのパターは、主としてグリーン上においてボールをヒットしてボールをカップに向けて転がす用途に用いられるクラブである。特開２００７−１１７６３５には、パターヘッドのフェース面にフェースインサートを装着して打感を柔らかくすることが記載されている。
【０００３】
特開２００１−６２００８には、フェース面の下部に合成樹脂発泡体を一体に設けることによりトップスピンをかけ易くしたパターヘッドが記載されている。しかしながら、合成樹脂発泡体は特性の温度依存性が強いので、気温によってトップスピンのかかり方がかなり変化する。
【先行技術文献】
【特許文献】
【０００４】
【特許文献１】特開２００７−１１７６３５
【特許文献２】特開２００１−６２００８
【発明の概要】
【発明が解決しようとする課題】
【０００５】
本発明は、通常のパターに比べボールを打った時にボールのバックスピンが減少し、ひいては、ボールにトップスピンがかかり易く、かつ、このトップスピンのかけ易さの温度依存性が小さいパターヘッドを提供することを目的とする。
【課題を解決するための手段】
【０００６】
請求項１のパターヘッドは、ヘッド本体のフェース面にフェースインサートを装着したパターヘッドにおいて、該フェースインサートの後面に、下端部から上方に延在した切欠状部が設けられていることを特徴とするものである。
【０００７】
請求項２のパターヘッドは、請求項１において、前記切欠状部はフェースインサートの左端から右端まで延在していることを特徴とするものである。
【０００８】
請求項３のパターヘッドは、請求項１又は２において、前記フェースインサートの後面の上縁部は前記凹部の奥壁面に当接し、該上縁部が螺子部材によってヘッド本体に固定されていることを特徴とするものである。
【０００９】
請求項４のパターヘッドは、請求項１ないし３のいずれか１項において、該切欠状部に粘弾性材が充填されていることを特徴とするものである。
【発明の効果】
【００１０】
本発明のパターヘッドのフェースインサートの後面には、下端部から上方に延在する切欠状部が設けられている。そのため、ボールをヒットしたときにフェースインサートの下部が後退し、バックスピンが減少し、ボールにトップスピンがかかり易いものとなり、ヒットされたボールの直進性が良好となる。
【００１１】
この切欠状部は、フェースインサートの左端から右端まで延在していることが好ましい。
【００１２】
この切欠状部に粘弾性材を充填することにより、打球音や、打感の調節を行うことができる。
【図面の簡単な説明】
【００１３】
【図１】（ａ）図は実施の形態に係るパターヘッドの分解斜視図、（ｂ）図はこのパターヘッドの正面図、（ｃ）図は（ｂ）図のＣ−Ｃ線断面図である。
【図２】図１（ｂ）のII−II線拡大断面図である。
【図３】フェースインサートの後方からの斜視図である。
【図４】別の実施の形態に係るパターヘッドのフェースインサートの断面図である。
【図５】別の実施の形態に係るパターヘッドのフェースインサートの断面図である。
【図６】別の実施の形態に係るパターヘッドのフェースインサートの断面図である。
【図７】異なる実施の形態に係るパターヘッドの断面図である。
【図８】図７のパターヘッドのフェースインサートを示す後方からの斜視図である。
【図９】さらに異なる実施の形態に係るパターヘッドの断面図である。
【図１０】さらに異なる実施の形態に係るパターヘッドの断面図である。
【発明を実施するための形態】
【００１４】
以下、図面を参照して実施の形態について説明する。
【００１５】
第１図〜第３図は第１の実施の形態に係るパターヘッド１を示すものである。このパターヘッド１では、ヘッド本体２の前面（フェース面）に凹部２Ｈが設けられ、この凹部２Ｈ内にフェースインサート３が配置されている。この実施の形態では、ヘッド本体２はアルミ合金、チタン合金、銅合金、ステンレスなどの金属製である。フェースインサート３は、ポリエステル、ナイロン、ウレタンなどの合成樹脂又はアルミ合金、銅合金、ステンレスなどの金属よりなる。フェースインサート３の前面と、凹部２Ｈの周囲のヘッド本体２の前面とは面一である。
【００１６】
凹部２Ｈ及びフェースインサート３の正面視形状は、横長の略長方形状である。凹部２Ｈの深さは全体として均一である。ただし、部分的に深い箇所を設けたり、逆に部分的に浅い箇所を設けてもよい。
【００１７】
このフェースインサート３の後面には、下縁部から上方に向って切欠状部３ａが設けられている。この切欠状部３ａは、フェースインサート３の左端から右端にまで延在している。フェースインサート３の後面の上縁部３ｂの後面は、フェースインサート３の前面と平行な平面となっている。
【００１８】
この実施の形態では、切欠状部３ａの後面もフェースインサート３の前面と平行な平面となっている。
【００１９】
第３図の通り、フェースインサート３の上縁部３ｂには、雌螺子穴３ｃが複数個（この実施の形態では左右に合計２個）設けられている。ヘッド本体２には、この雌螺子穴３ｃと合致する位置関係にて、ボルト挿通孔５（第２図）が前後方向に貫設されている。各ボルト挿通孔５に挿通されたボルト６を雌螺子穴３ｃにねじ込むことにより、フェースインサート３がヘッド本体２に固定される。
【００２０】
フェースインサート３の左右幅及び上下幅は凹部２Ｈよりも若干小さいものとなっており、フェースインサート３の上下左右の側面３Ｓと凹部２Ｈの周面２Ｓ（第１図（ａ））との間には若干の空隙４があいている。この空隙４の幅は０．３〜１．５ｍｍ特に０．４〜１．０ｍｍ程度が好適である。フェースインサート３の大きさは上下幅が１６〜３０ｍｍ特に１８〜２５ｍｍ、左右幅が５０〜１５０ｍｍ特に７０〜１００ｍｍ、上縁部３ｂにおける厚さが２〜１０ｍｍ特に３〜８ｍｍ程度が好ましく、また、切欠状部３ａにおけるフェースインサートの厚さは上縁部３ｂにおける厚さよりも０．６〜０．２ｍｍ特に０．８〜１．４ｍｍ少ないことが好ましいが、これに限定されない。
【００２１】
フェースインサート３は、切欠状部３ａと反対側の面がパターのフェース前面となるように凹部２Ｈ内に配置され、上縁部３ｂが凹部２Ｈの奥壁面に当接されている。そして、上記の通り、ボルト６をボルト挿通孔５に通し、雌螺子穴３ｃにねじ込むことにより、フェースインサート３がヘッド本体２に固定され、パターヘッド１が構成される。
【００２２】
このように構成されたパターヘッド１のホゼル部１ｈにシャフトを連結することによりパターが構成される。このパターでパッティング（グリーン上のボールをフェース面で打つこと）すると、ボールをヒットしたときにフェースインサート３の下部の前面側が若干後退することにより、トップスピンがかかり易くなり、ヒットされたボールの直進性が良好となる。
【００２３】
本発明では、第４〜６図のフェースインサート３Ａ〜３Ｃのように、切欠状部３ａの前壁面の傾斜を上記とは異ならせてもよい。第４図のフェースインサート３Ａでは、切欠状部３ａの前壁面は上部ほど前方となるように傾いている。第５，６図のフェースインサート３Ｂ，３Ｃでは、切欠状部３ａの前壁面は上部ほど後方となるように傾いている。なお、フェースインサート３，３Ａ，３Ｂでは、後面の上縁部３ｂと切欠状部３ａの前壁面との境界は段差状となっているが、第６図のフェースインサート３Ｃでは切欠状部３ａの前壁面は上縁部３ｂに対し直接に交わるように形成されている。図示は省略するが、切欠状部の前壁面は、その少なくとも一部が曲面であってもよい。
【００２４】
第７図はさらに別の実施の形態に係るパターヘッド１’の前記第２図と同様部分の断面図、第８図はそのフェースインサート３の後方からの斜視図である。
【００２５】
この実施の形態では、切欠状部３ａに粘弾性材７が充填されている。粘弾性材としてはゴム、エラストマー、軟質合成樹脂などが用いられる。
【００２６】
この粘弾性材７のサイズは切欠状部３ａと同一であり、粘弾性材８の後面はフェースインサート３の上縁部３ｂと面一状となっているが、粘弾性材８はそれよりも薄くてもよい。また、粘弾性材８はフェースインサート３よりも左右幅や上下幅が小さくてもよい。
【００２７】
このパターヘッド１’のように切欠状部３ａに粘弾性材７を充填すると、ボールをヒットしたときの打球音や打感を調節することができる。
【００２８】
上記実施の形態では、フェースインサートの前面は平坦となっているが、横長の溝を複数本平行に設けてもよい。溝の幅員（上下幅）は０．３〜１．６ｍｍ程度が好適であり、溝の深さは０．０５〜１．１ｍｍ程度が好ましい。
【００２９】
上記実施の形態では、フェースインサート３の周囲に空隙４を形成しているが、第９図のパターヘッド１''のように、この空隙にゴム、エラストマー、合成樹脂などの粘弾性材８を配材してもよい。また、第１０図のパターヘッド１'''のように、空隙４が生じないようにフェースインサート３を凹部２Ｈにぴったりと嵌まるように構成してもよい。
【００３０】
なお、第１図〜第９図のパターヘッド１，１’，１''のようにフェースインサート３の側面３Ｓと凹部２Ｈの周面２Ｓとの間に空隙４や粘弾性材８を設けると、フェースインサートに残留応力が生じることがなく、フェースインサートの反発特性は設計通りになるという効果が得られる。第８図〜第１０図のその他の構成は第２図と同様であり、同一符号は同一部分を示している。
【００３１】
上記実施の形態はいずれも本発明の一例であり、本発明は図示以外の形態とされてもよい。例えば、フェースインサートはボルト以外の接着、カシメなどの固定手段によってヘッド本体に固定されてもよい。
【符号の説明】
【００３２】
１，１’，１''，１'''  パターヘッド
２  ヘッド本体
２Ｈ  凹部
３，３Ａ，３Ｂ，３Ｃ  フェースインサート
３ａ  切欠状部
３ｂ  上縁部
３ｃ  雌螺子穴
６  ボルト
７，８  粘弾性材
【図１】
2012080960.tif 000003
【図２】
2012080960.tif 000004
【図３】
2012080960.tif 000005
【図４】
2012080960.tif 000006
【図５】
2012080960.tif 000007
【図６】
2012080960.tif 000008
【図７】
2012080960.tif 000009
【図８】
2012080960.tif 000010
【図９】
2012080960.tif 000011
【図１０】
2012080960.tif 000012